(57)【要約】      （修正有）【課題】受信感度が高い電波時計を提供する。【解決手段】電波時計は、風防ガラス３１と、文字板５１と、文字板５１に入射する光を電力に変換する受光領域が設けられた太陽電池基板５３と、文字板５１の外周に隣接し、かつ、文字板５１の面および太陽電池基板５３の面のうち少なくとも一方に設けられるアンテナ１０ｂと、アンテナ１０ｂと受光領域との間に配置され、誘電率が文字板５１より大きい高誘電体と、を含む。【選択図】図２
2018169189.tif 000002
【特許請求の範囲】
【請求項１】
風防と、
文字板と、
前記文字板に入射する光を電力に変換する受光領域が設けられた太陽電池基板と、
前記文字板の外周に隣接し、かつ、前記文字板の面および前記太陽電池基板の面のうち少なくとも一方に設けられるアンテナと、
前記アンテナと前記受光領域との間に配置され、誘電率が前記文字板より大きい高誘電部材と、
を含む電波時計。
【請求項２】
請求項１に記載の電波時計において、
前記文字板または前記太陽電池基板は前記アンテナと前記受光領域との間に開口を有し、
前記高誘電部材の少なくとも一部は、前記開口の内側に配置される、
電波時計。
【請求項３】
請求項１または２に記載の電波時計において、
前記文字板、前記太陽電池基板、前記アンテナおよび前記アンテナが格納される金属の外装ケースをさらに含み、
前記高誘電部材は、前記アンテナと前記受光領域との間に配置される第１の部分と、前記アンテナの外側に配置される第２の部分と、を含む、
電波時計。
【請求項４】
請求項３に記載の電波時計において、
前記高誘電部材は、前記アンテナの前記風防側の面に隣接する第３の部分をさらに含む、
電波時計。
【請求項５】
請求項１から４のいずれかに記載の電波時計において、
前記高誘電部材は前記風防と前記文字板の間に設けられた見返し部材である、
電波時計。
【発明の詳細な説明】
【技術分野】
【０００１】
本発明は、衛星等から信号を受信する電波時計に関する。
【背景技術】
【０００２】
ＧＰＳ（Global Positioning System）等を構成する衛星からの送信信号に含まれる時刻情報を受信して時刻を修正する携帯型の電波時計が実用に供されている。電波の受信のためのアンテナの配置、またそのアンテナへの給電方法については、時計の機能を損なわずかつ必要な受信感度が得られるように決定されている。
【０００３】
特許文献１の図１０には、液晶パネル８８とアンテナ体４０との間に誘電体補助部材４１を配置することが開示されている。波長短縮効果によりアンテナ体４０を小型化することで、アンテナ体４０と液晶パネル８８との距離が確保される。
【０００４】
特許文献２の図２には、ソーラーパネル１２０Ａを有する電子時計において、ＧＰＳアンテナ１１が、リング状の誘電体基材１１１と、その表面に形成されるアンテナ電極１１２とを含むこと、またＧＰＳアンテナ１１が非導電性のダイヤルリング１４０に収容されることが開示されている。
【先行技術文献】
【特許文献】
【０００５】
【特許文献１】特開２０１５−１４３６６４号公報
【特許文献２】特開２０１１−２１９２９号公報
【発明の概要】
【発明が解決しようとする課題】
【０００６】
発明者らは、ソーラー電波時計において、アンテナ電極を、文字板の近傍かつ外装ケースの外周にそって配置することを検討している。一般的にソーラー電波時計では、太陽電池は文字板のすぐ裏側に配置されているため、アンテナ電極と太陽電池とが近接する。太陽電池は金属を含み導電性があるため、受信感度に影響が生じてしまう。一方、太陽電池とアンテナ電極との距離を確保すると、太陽電池の面積が小さくなってしまい電力の確保が難しくなる。
【０００７】
本発明は上述の事情を考慮してなされたものであって、その目的は、その目的は、受信感度が高い電波時計を提供することである。
【課題を解決するための手段】
【０００８】
（１）風防と、文字板と、前記文字板に入射する光を電力に変換する受光領域が設けられた太陽電池基板と、前記文字板の外周に隣接し、かつ、前記文字板の面および前記太陽電池基板の面のうち少なくとも一方に設けられるアンテナと、前記アンテナと前記受光領域との間に配置され、誘電率が前記文字板より大きい高誘電部材と、を含む電波時計。
【０００９】
（２）（１）において、前記文字板または前記太陽電池基板は前記アンテナと前記受光領域との間に開口を有し、前記高誘電部材の少なくとも一部は、前記開口の内側に配置される、電波時計。
【００１０】
（３）（１）または（２）において、前記文字板、前記太陽電池基板、前記アンテナおよび前記アンテナが格納される金属の外装ケースをさらに含み、前記高誘電部材は、前記アンテナと前記受光領域との間に配置される第１の部分と、前記アンテナの外側に配置される第２の部分と、を含む、電波時計。
【００１１】
（４）（３）において、前記高誘電部材は、前記アンテナの前記風防側の面に隣接する第３の部分をさらに含む、電波時計。
【００１２】
（５）（１）から（４）のいずれかにおいて、前記高誘電部材は前記風防と前記文字板の間に設けられた見返し部材である、電波時計。
【発明の効果】
【００１３】
本発明によれば、受信感度が高い電波時計を提供することができる。
【図面の簡単な説明】
【００１４】
【図１】第１の実施形態にかかる衛星電波腕時計の一例を示す平面図である。
【図２】図１に示される衛星電波腕時計のII−II切断線における断面図である。
【図３】文字板、太陽電池基板およびアンテナ電極の一例を示す平面図である。
【図４】衛星電波腕時計の回路構成の概略を示すブロック図である。
【図５】文字板、太陽電池基板およびアンテナ電極の他の一例を概略的に示す断面図である。
【図６】衛星電波腕時計の他の一例を示す部分断面図である。
【図７】第２の実施形態にかかる衛星電波腕時計の一例を示す部分断面図である。
【図８】太陽電池基板およびアンテナ電極の一例を示す平面図である。
【図９】太陽電池基板およびアンテナ電極の他の一例を概略的に示す断面図である。
【図１０】衛星電波腕時計の他の一例を示す部分断面図である。
【図１１】太陽電池基板およびアンテナ電極の他の一例を示す平面図である。
【図１２】太陽電池基板およびアンテナ電極の他の一例を示す平面図である。
【図１３】太陽電池基板およびアンテナ電極の他の一例を示す平面図である。
【図１４】太陽電池基板およびアンテナ電極の他の一例を示す平面図である。
【図１５】太陽電池基板およびアンテナ電極の他の一例を示す平面図である。
【発明を実施するための形態】
【００１５】
以下、本発明の実施の形態について、図面を参照しながら詳細に説明する。以下では本発明の実施形態にかかる衛星電波腕時計１について説明する。本実施形態に係る衛星電波腕時計１は、時刻情報を含んだ衛星電波を受信し、当該受信された衛星電波に含まれる時刻情報を用いて自身が計時している時刻の修正や測位を行う。
【００１６】
［第１の実施形態］
図１は、第１の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる図示しない裏蓋とを含む。これらは衛星電波腕時計１の外形を構成している。胴３８およびベゼル３２は、風防ガラス３１および裏蓋に挟まれている。胴３８、ベゼル３２、裏蓋は、衛星電波腕時計１の外装ケースを構成している。以下では、衛星電波腕時計１の中心から風防ガラス３１へ向かう向きを上、裏蓋へ向かう向きを下と表記する。
【００１７】
胴３８は金属からなり、上下にそれぞれ穴を有する。ベゼル３２は胴３８の上の穴の形状に応じたリング状のセラミックスであり、ベゼル３２はその上の穴にはめ込まれることで胴３８に接続されている。また裏蓋は金属からなり胴３８の下の穴の形状に応じた平面を有し、裏蓋はその下の穴にはめ込まれている。風防ガラス３１は、ベゼル３２の上側の開口の形状に応じた平面形状を有し、ベゼル３２のその開口にはめ込まれている。風防ガラス３１とベゼル３２とはパッキンを介して接しており、パッキンにより風防ガラス３１が固定されている。またベゼル３２と胴３８とはパッキンを介して接している。また、耐衝撃性と防水性が劣るものの、パッキンの代わりにカシメや接着などでベゼル３２に風防ガラス３１を固定してもよい。
【００１８】
また、衛星電波腕時計１は、アンテナ電極１０ａ，１０ｂ、リング状の見返しリング３４、文字板５１、導電ピン４１、時針５２ａ、分針５２ｂ及び秒針５２ｃ、太陽電池基板５３、地板、ムーブメントを含む。これらは、風防ガラス３１、ベゼル３２、胴３８、裏蓋に囲まれた空間に配置されている。見返しリング３４は、文字板５１と風防ガラス３１との間に配置されている。また、平面視で見返しリング３４とアンテナ電極１０ａ，１０ｂとは重なっている。導電ピン４１は、アンテナ電極１０ａ，１０ｂの下にある。文字板５１のうちアンテナ電極１０ａ，１０ｂの下にはスルーホールが存在し、そのスルーホールの内部にはスルーホール電極４２が形成されている。導電ピン４１は、スルーホール電極４２を介してアンテナ電極１０ａ，１０ｂと電気的に接続されている。導電ピン４１はばねにより上下方向に伸縮する。ムーブメントは、外装ケース内に配置されており、地板、回路基板、駆動回路などを含む。
【００１９】
図３は、文字板５１、太陽電池基板５３およびアンテナ電極１０ａ，１０ｂの一例を示す平面図である。図３では、説明のため、見返しリング３４や外装ケースは図示されていない。
【００２０】
アンテナ電極１０ａ，１０ｂは、文字板５１の上側（表側）に、文字板５１の周縁に沿って延びるように配置されている。図１の例では、アンテナ電極１０ａ，１０ｂのそれぞれは円弧状であり、文字板５１の表側に配置されている。アンテナ電極１０ａ，１０ｂは衛星から送信される衛星信号を受信する。特に本実施形態では、アンテナ電極１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。アンテナ１０ａ，１０ｂのうち互いに隣接する部分は給電点４３である。給電点４３の下側はスルーホール電極４２に接しかつ導電ピン４１と電気的に接続されている。なお、アンテナ電極１０ａ，１０ｂは文字板５１の下側（裏側）に設けられてもよい。
【００２１】
太陽電池基板５３は例えばポリイミド等の有機フィルムであり、その上にシリコンや金属を含む発電領域６１が形成されている。発電領域６１は、光を受けて発電する。図３の例では、太陽電池基板５３は平面視で円形であり、太陽電池基板５３のほぼ全域が発電領域６１である。発電領域６１はシリコンや金属を含み、導電性を有する。太陽電池基板５３は文字板５１の下側（裏側）に配置されており、かつ、平面視で文字板５１の外周より内側に配置されている。発電領域６１とアンテナ電極１０ａ，１０ｂとは、平面視で重なっていない。
【００２２】
文字板５１には弧状の開口５７が設けられている。弧状の開口５７は発電領域６１とアンテナ電極１０ａ，１０ｂとの間に配置される。また、見返しリング３４はその下面３４ｄに、下方向に突出する突出部３４ｐを有し、その突出部３４ｐは開口５７に挿入されている。言い換えると、突出部３４ｐの少なくとも一部は開口５７の内側に配置されている。ここで、見返しリング３４は、セラミックスや高誘電樹脂などを含み、文字板５１より誘電率が高くなっている。図１や図３の例では、開口５７の弧の長さはアンテナ電極１０ａ，１０ｂの長さの和より大きいが、開口５７の弧の長さはアンテナ電極１０ａ，１０ｂの長さの和と同じまたは短くてもよい。また、文字板５１に設けられる開口５７の数が２以上であってもよい。例えば、アンテナ電極１０ａ，１０ｂに沿って破線のように並ぶ複数の開口５７が文字板５１に設けられてもよい。
【００２３】
図４は、衛星電波腕時計１の回路構成の概略を示すブロック図である。バラン回路２１は、ダイポールアンテナのような平衡型アンテナを不平衡な特性を有する同軸配線や受信回路２２に接続するために、アンテナ電極１０ａ，１０ｂが受信した信号を変換する。バラン回路２１とアンテナ１０ａ，１０ｂとは、導電ピン４１を介して接続されている。バラン回路２１とアンテナ１０ａ，１０ｂとは、ＦＰＣ基板（フレキシブルプリント基板）により接続されてもよい。また、そのＦＰＣ基板にバラン回路２１や、マッチング回路が配置されてもよい。マッチング回路は、アンテナ１０ａ，１０ｂとの接続におけるインピーダンス不整合を解消する回路である。受信回路２２は同軸配線を介してバラン回路２１に接続されている。受信回路２２はアンテナ電極１０ａ，１０ｂが受信した信号を復号し、復号の結果得られる衛星信号の内容を示すビット列（受信データ）を出力する。より具体的には、受信回路２２は高周波回路（ＲＦ回路）及びデコード回路を含んでいる。高周波回路は、高周波数で動作し、アンテナ電極１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成し、制御回路２６に対して出力する。
【００２４】
制御回路２６は、衛星電波腕時計１に含まれる各種回路や機構を制御する回路であり、例えば、マイクロコントローラと、モータ駆動回路と、ＲＴＣ（Ｒｅａｌ  Ｔｉｍｅ  Ｃｌｏｃｋ）とを含む。制御回路２６は、受信データやＲＴＣが出力するクロックに基づいて時刻を取得し、取得された時刻にあわせて駆動機構２８に含まれるステップモータを駆動する。駆動機構２８は、ステップモータと、輪列と、を含んで構成される。ステップモータの回転を輪列が伝達することによって、例えば時針５２ａ、分針５２ｂ、及び秒針５２ｃのうちいずれかを回転させる。これにより現在時刻が表示される。
【００２５】
ＧＰＳの受信信号などの高周波を扱う回路や配線は、周囲の金属などの導電部材の影響により受信感度が低下しやすい。特に、アンテナ電極１０ａ，１０ｂは、導電部材の影響をより受けやすく、受信感度が低下しやすい。一方、アンテナ電極１０ａ，１０ｂと導電部材との間に誘電率の高い部材を配置すると、その導電部材からの受信感度への影響を軽減することができる。本実施形態では、太陽電池基板５３の発電領域６１とアンテナ電極１０ａ，１０ｂとの間に誘電率の高い部材が配置されることにより、受信感度が向上する。また、発電領域６１とアンテナ電極１０ａ，１０ｂとをより近づけることができ、発電領域６１を確保しやすくなる。
【００２６】
また、アンテナ電極１０ａ，１０ｂの上面は誘電率の高い見返しリング３４の下面３４ｄに隣接しており、アンテナ電極１０ａ，１０ｂの内周側の側面に突出部３４ｐが隣接している。これらにより、受信する電波の波長短縮効果を得ることもできる。
【００２７】
ここで、開口５７に挿入される誘電率の高い部材は、見返しリング３４でなくてもよい。図５は、文字板５１、太陽電池基板５３およびアンテナ電極１０ａ，１０ｂの他の一例を概略的に示す断面図である。図５の例では、開口５７には見返しリング３４と異なる高誘電体３６が配置されている。高誘電体３６は、アンテナ電極１０ａ，１０ｂの上を覆う第１の部分と、開口５７を通り下方向に突出する第２の部分とを有する。高誘電体３６は、図２と同じ断面においてＬ字形状を有する。高誘電体３６は、例えばセラミックスや高誘電樹脂などの高誘電率の材料を含む。図５に示す例でも発電領域６１の受信感度への影響を抑え、受信感度を向上させることができる。なお、高誘電体３６はアンテナ１０ａ，１０ｂの上を覆わなくてもよく、断面が矩形であってもよい。
【００２８】
図２の例では、文字板５１の中心から見てアンテナ電極１０ａ，１０ｂの内側のみに誘電率の高い部材が配置されているが、アンテナ電極１０ａ，１０ｂの外側にも誘電率の高い部材が配置されてよい。図６は、衛星電波腕時計１の他の一例を示す部分断面図であり、図２に対応する図である。図６の例では、ベゼル３２は金属である。見返しリング３４の下面３４ｄかつ平面視でアンテナ電極１０ａ，１０ｂより外周側には、下方向に突出する突出部３４ｓが設けられている。突出部３４ｓは金属製のベゼル３２とアンテナ電極１０ａ，１０ｂとの間に設けられている。金属製の外装ケースとアンテナ電極１０ａ，１０ｂとの間に誘電率の高い部材が設けられることにより、外装ケースの金属による受信感度への影響を低減することができる。また、平面視でアンテナ電極１０ａ，１０ｂの外側の側面にも誘電率の高い部材が隣接することにより、さらに波長を短縮する効果を得ることができる。
【００２９】
［第２の実施形態］
次に、本発明の第２の実施形態について説明する。以下では、主に、第１の実施形態との相違点について説明する。
【００３０】
図７は、第２の実施形態にかかる衛星電波腕時計１の一例を示す部分断面図である。図８は、太陽電池基板５３およびアンテナ電極１０ａ，１０ｂの一例を示す平面図である。図７，図８は、図２，図３に対応する図である。第２の実施形態では、アンテナ電極１０ａ，１０ｂは、太陽電池基板５３の表側の面に配置されている。なお、アンテナ電極１０ａ，１０ｂは、太陽電池基板５３の裏側の面に配置されてもよい。
【００３１】
太陽電池基板５３は、受光し発電する発電領域６１を有する。図８の例では、太陽電池基板５３は平面視で円形であり、その外周面はベゼル３２の内周面に対向している。発電領域６１は、ほぼ円形であり、太陽電池基板５３の外周より内側に配置されている。なお、太陽電池基板５３は文字板５１の下側（裏側）に配置されている。発電領域６１とアンテナ電極１０ａ，１０ｂとは、平面視で重なっていない。また、太陽電池基板５３の裏側かつ発電領域６１のうちには、発生した電力を取り出すための２つの接続電極６２が設けられている。２つの接続電極６２は、それぞれ正極、負極であり、２つの接続電極６２は太陽電池基板５３の下側に達し、電源制御回路に接続される。２つの接続電極６２、給電部４３のそれぞれにはピンなどにより接続されるため、力がかかる。２つの接続電極６２は離間させることにより、太陽電池基板５３にかかる力が分散される。また、力を分散させるため、２つの給電部４３がある領域と接続電極６２との間隔、および、２つの接続電極６２の間隔を、等しくすることが好ましい。また、２つの接続電極６２は、２つの給電部４３が並ぶ領域と太陽電池基板５３の中央部とを結ぶ線を対称軸として対称に配置されてもよい。なお、アンテナ電極１０ａ，１０ｂは、発電領域６１に含まれるものと同じ導電性の材料により形成されてもよい。図８の例では、太陽電池基板５３の発電領域６１には１段の太陽電池セルが配置されているが、複数段の太陽電池セルが配置されてもよい。これは以降で説明する変形例においても同様である。また、見返しリング３４の内周の側壁の上に追加の太陽電池基板５３が設けられてよい。その側壁上にあるリング状の太陽電池基板５３の発電領域６１により、発電領域６１の面積が増加する。
【００３２】
太陽電池基板５３には弧状の開口５９が設けられている。弧状の開口５９は発電領域６１とアンテナ電極１０ａ，１０ｂとの間に配置される。また、見返しリング３４はその下面３４ｄに、下方向に突出する突出部３４ｐを有し、その突出部３４ｐは開口５９に挿入されている。言い換えると、突出部３４ｐの少なくとも一部は開口５９の内側に配置されている。文字板５１は、平面視で開口５９より内側に配置されている。また、見返しリング３４は、太陽電池基板５３の有機フィルムおよび文字板５１より誘電率が高い。
【００３３】
本実施形態においても、太陽電池基板５３の発電領域６１とアンテナ電極１０ａ，１０ｂとの間に誘電率の高い部材が配置されている。これにより、受信感度を向上させている。また、発電領域６１とアンテナ電極１０ａ，１０ｂとをより近づけることができ、発電領域６１を確保しやすくなる。また、見返しリング３４の下面３４ｄや突出部３４ｐがアンテナ電極１０ａ，１０ｂに隣接することにより、受信電波の波長を短縮する効果も得ることができる。
【００３４】
また、太陽電池基板５３は有機フィルムであるため、製造の公差が小さく、位置ずれが起こりにくい。このため、アンテナ電極１０ａ，１０ｂを正確に形成することができ、アンテナ特性のばらつきを減らすことができる。また、アンテナ電極１０ａ，１０ｂだけでなく、給電点や給電配線も太陽電池基板５３上に容易に形成することができる。なお、有機フィルムの誘電率は樹脂に比べて高いので、若干ではあるが文字板５１上にアンテナ電極１０ａ，１０ｂを形成する場合より高い波長短縮効果を得ることができる。
【００３５】
図９は、太陽電池基板５３およびアンテナ電極１０ａ，１０ｂの他の一例を概略的に示す断面図である。図９の例では、開口５９には見返しリング３４と異なる高誘電体３６が配置されている。高誘電体３６は、アンテナ電極１０ａ，１０ｂの上を覆う第１の部分と、開口５７を通り下方向に突出する第２の部分とを有する。高誘電体３６は、開口５７を含む径方向の断面においてＬ字形状を有する。高誘電体３６は平面視で弧状であってよい。図９に示す例でも発電領域６１の受信感度への影響を抑え、受信感度を向上させることができる。ここで、見返しリング３４は光透過性部材であってもよい。この場合、平面視で見返しリング３４と太陽電池基板５３とが重なる領域にも追加の発電領域６１を設け、その追加の発電領域６１に発電させることができる。
【００３６】
図１０は、衛星電波腕時計１の他の一例を示す部分断面図である。図１０の例では、ベゼル３２は金属である。また、見返しリング３４の下面３４ｄかつ平面視でアンテナ電極１０ａ，１０ｂより外周側には、下方向に突出する突出部３４ｓが設けられている。突出部３４ｓは、金属製のベゼル３２とアンテナ電極１０ａ，１０ｂとの間に設けられている。金属製の外装ケースとアンテナ電極１０ａ，１０ｂとの間に誘電率の高い部材が設けられることにより、外装ケースの金属による受信感度への影響を低減することができる。また、平面視でアンテナ電極１０ａ，１０ｂの外側にも誘電率の高い部材が隣接することにより、さらに波長を短縮する効果を得ることができる。また、突出部３４ｓによりアンテナ電極１０ａ，１０ｂとベゼル３２およびケース３８との距離が確保され、また平面視でベゼル３２とアンテナ電極１０ａ，１０ｂとが重ならない。これによっても、ベゼル３２等による受信感度への影響を低減することができる。
【００３７】
なお、文字板５１の外周がアンテナ電極１０ａ，１０ｂより外側にあってもよい。この場合、文字板５１にも開口５７が設けられてよい。また、発電領域６１が開口５９の内側にある太陽電池基板５３が第１の実施形態にかかる衛星電波腕時計に用いられてもよい。これらの場合、文字板５１の開口５７および太陽電池基板５３の開口５９を貫くように誘電率の高い部材が配置されてよい。
【００３８】
図１１は、太陽電池基板５３およびアンテナ電極１０ａ，１０ｂの他の一例を示す平面図である。図１１の例では、図８の例と異なり、導電ピン４１の代わりに、ＦＰＣ基板であるバラン基板４６によってアンテナ電極１０ａ，１０ｂとバラン回路２１とが接続されている。バラン基板４６には、アンテナ電極１０ａ，１０ｂに接する電極と、バラン回路２１と、接続電極４４とが配置されている。バラン回路２１は、アンテナ電極１０ａ，１０ｂと接続電極４４との間に配置されている。図１１では、バラン基板４６が径方向外側に突出しているが、衛星電波腕時計１の内部では平面視でバラン回路２１および接続電極４４が太陽電池基板５３と重なるように折り曲げられている。接続電極４４はバラン回路２１と受信回路２２とを電気的に接続するための電極であり、太陽電池基板５３の下側に配置される回路基板と電気的に接続されている。接続電極４４は同軸構造を有する。ここで、バラン基板４６と太陽電池基板５３とが一体化していてもよい。太陽電池基板５３が有機フィルムであれば、太陽電池基板５３がバラン基板に相当する突出部を有し、その突出部が折り曲げられてもよい。
【００３９】
図１２は、太陽電池基板５３およびアンテナ電極１０ａ，１０ｂの他の一例を示す平面図である。図１１の例では、図８の例と異なり、発電領域６１は、開口５９に隣接する第１の弧状領域と、開口５９に隣接せず第１の弧状領域より半径の大きい第２の弧状領域とを含む。第２の弧状領域のうち外周側の端は、太陽電池基板５３の外周に隣接している。接続電極６２は、第２の弧状領域に設けられており、中心からの距離は第１の弧状領域の半径より大きい。図１２の例では、平面視で太陽電池基板５３は見返しリング３４と重なっていない。これにより、アンテナ１０ａ，１０ｂを径方向のより内側に配置しつつ、発電領域６１を確保することができる。また、２つの接続電極６２、給電部４３のそれぞれにはピンなどにより接続されるため、力がかかる。２つの接続電極６２は離間させることにより、太陽電池基板５３にかかる力が分散される。また、力を分散させるため、２つの給電部４３がある領域と接続電極６２との間隔、および、２つの接続電極６２の間隔を、等しくすることが好ましい。なお、見返しリング３４を光透過性の部材にし、平面視で見返しリング３４とアンテナ電極１０ａ，１０ｂおよび第２の弧状領域の一部が重なるようにしてもよい。
【００４０】
図１３は、太陽電池基板５３およびアンテナ電極１０ａ，１０ｂの他の一例を示す平面図である。図１３の例は、図８の例と異なり、発電領域６１の接続電極６２と、給電部４３とは、太陽電池基板５３の中心部を挟むように設けられている。２つの接続電極６２は互いに隣接している。また、発電領域６１は、円形の領域と、その円形の領域から外周側に突出する領域と、を含む。接続電極６２はその突出する領域に配置されている。また、開口５９、アンテナ１０ａ，１０ｂおよび接続電極６２は平面視で見返しリング３４と重なっており、表側からこれらが視認されることによる審美性の低下を防ぐことができる。また、接続電極６２が給電部４３から離れることにより、受信感度への影響をさらに軽減できる。
【００４１】
図１４は、太陽電池基板５３およびアンテナ電極１０ａ，１０ｂの他の一例を示す平面図である。図１４の例では、太陽電池基板５３の下側の面にバラン回路２１、マッチング回路および接続電極４４が配置されている。また、発電領域６１は、平面視でバラン回路２１、マッチング回路および接続電極４４と重ならないように設けられている。より具体的には、発電領域６１は、図１２の例における発電領域６１から給電点４３の径方向内側にある矩形領域が切り欠かれた形状を有する。この切り欠かれた矩形領域に重なるようにバラン回路２１、マッチング回路および接続電極４４が配置されている。図１４の例ではバラン回路２１等をより風防に近い位置に配置することができ、ムーブメントによる受信感度への影響を低減しやすくなる。また、平面視で発電領域６１とバラン回路２１やマッチング回路、接続電極４４と重ならないことにより、発電領域６１に含まれる金属による受信感度への影響を軽減することができる。なお、バラン回路２１およびマッチング回路は太陽電池基板５３の表側の面に配置することも可能である。バラン回路２１の厚みによる影響を防ぐには、バラン回路２１およびマッチング回路は裏側の面に配置することが好ましい。
【００４２】
図１４の例では、開口５９は２つの部分に分割されている。２つの部分のうち１つはアンテナ電極１０ａに隣接し、もう１つはアンテナ電極１０ｂに隣接する。太陽電池基板５３のうち開口５９の２つの部分の間には、接続領域が存在する。接続領域は、開口５９より径方向外側と開口５９より径方向内側とをつなぎ、接続領域には給電部４３とバラン回路２１とを接続する配線が配置されている。
【００４３】
図１５は、太陽電池基板５３およびアンテナ電極１０ａ，１０ｂの他の一例を示す平面図である。図１５の例は、図１４の例と異なり、平面視で接続電極４４と発電領域６１とが重なっている。アンテナ電極１０ａ，１０ｂからバラン回路２１までの回路は、特に金属の影響を受けやすいため、バラン回路２１と発電領域６１とが平面視で重ならないことが望ましい。一方、バラン回路２１から受信回路２２までの接続経路は金属の影響は比較的小さい。金属の影響の小さい接続電極４４と発電領域６１とを重ねることにより、受信感度の低下を抑えつつ、発電領域６１を確保することができる。図１５の例においても、図１４の例と同様に開口５９は２つの部分に分割されており、開口５９の２つの部分の間には接続領域が形成されている。
【００４４】
これまでに、衛星電波腕時計１に本発明を適用した場合について説明したが、例えば腕時計と異なる携帯用の小型の時計にも適用できる。
【符号の説明】
【００４５】
１  衛星電波腕時計、１０ａ，１０ｂ  アンテナ電極、２１  バラン回路、２２  受信回路、２６  制御回路、２８  駆動機構、３１  風防ガラス、３２  ベゼル、
３４  見返しリング、３４ｄ  下面、３４ｐ，３４ｓ  突出部、３６  高誘電体、３８  胴、４１  導電ピン、４２  スルーホール電極、４３  給電部、４４  接続電極、４６  バラン基板、５１  文字板、５２ａ  時針、５２ｂ  分針、５２ｃ  秒針、５３  太陽電池基板、５７，５９  開口、６１  発電領域、６２  接続電極。
【図１】
2018169189.tif 000003
【図２】
2018169189.tif 000004
【図３】
2018169189.tif 000005
【図４】
2018169189.tif 000006
【図５】
2018169189.tif 000007
【図６】
2018169189.tif 000008
【図７】
2018169189.tif 000009
【図８】
2018169189.tif 000010
【図９】
2018169189.tif 000011
【図１０】
2018169189.tif 000012
【図１１】
2018169189.tif 000013
【図１２】
2018169189.tif 000014
【図１３】
2018169189.tif 000015
【図１４】
2018169189.tif 000016
【図１５】
2018169189.tif 000017